(57)【要約】【課題】コンパクトであっても球詰まり等が発生しにくい大入賞口装置を備えた遊技機を提供する。【解決手段】特定領域１３となる第２検出部７０を、入賞を検知する第１検出部６０の鉛直方向に配置し、第１検出部６０から第２検出部７０までの遊技球の流下経路に、突出状態となった場合には第１検出部６０を通過した遊技球を受けて他の領域（一般領域１２）に遊技球を誘導するとともに、退避状態となった場合には第１検出部６０を通過した遊技球を第２検出部７０へ流下可能とする振分部材（振分板５１）を設け、振分部材の上面には、遊技球が当接すると他の領域に向かって流下するように規制可能とする湾曲面５１Ｂを形成した。【選択図】図５
2016154709.tif 000002
【特許請求の範囲】
【請求項１】
遊技球が流下する遊技領域と、
前記遊技領域に設けられ、遊技球を入球し難い又は入球不可能な閉状態と、遊技球を入球し易い開状態とに変位可能な開閉部材を有する可変入賞装置と、を備え、
前記可変入賞装置は、入球した遊技球の通過を検出する第１検出部と、前記第１検出部を通過した遊技球を検出可能な第２検出部とを少なくとも備え、
前記第２検出部による遊技球の検出に基づき、遊技球が特定領域を通過したものとして扱われるように形成された遊技機において、
前記第２検出部は、前記第１検出部の鉛直方向に配置され、
前記第１検出部から前記第２検出部までの遊技球の流下経路には、前記第２検出部の上方を塞ぐ突出状態となった場合には前記第１検出部を通過した遊技球を受けて前記第２検出部以外の他の領域に遊技球を誘導するとともに、前記第２検出部の上方を開放する退避状態となった場合には前記第１検出部を通過した遊技球を前記第２検出部へ流下可能とする振分部材が設けられ、
前記振分部材の上面には、前記第１検出部から流下してくる遊技球に当接して当該遊技球の流下方向を前記他の領域の方向に変更可能な方向規制部が形成されていることを特徴とする遊技機。
【請求項２】
前記振分部材の上面には、前記他の領域に向かって下り傾斜する傾斜面が設けられ、
前記方向規制部は、前記傾斜面に連続し前記傾斜面の下り方向と対向する上り方向側に向かって高さが増すように形成された湾曲面であることを特徴とする請求項１記載の遊技機。
【発明の詳細な説明】
【技術分野】
【０００１】
本発明は、内部に特定領域を有する大入賞口装置を備えた遊技機に関するものである。
【背景技術】
【０００２】
この種の遊技機、例えばパチンコ遊技機において、特別遊技（大当たり遊技）が実行された後に、遊技状態を、確率変動状態（確変状態）などの遊技者に有利となる特典遊技状態に移行させることが行われている。例えば、特許文献１には、特典遊技状態とするか否かの判定を、特別遊技中における、大入賞口（大入賞口装置）の内部に設けられた特定領域（いわゆる確変領域）への遊技球の通過状況に基づいて決定する遊技機が開示されている。また、特許文献２には、大当たりの種別として、確変大当たりと通常大当たりとを設け、確変大当たりの当選に基づく特別遊技において、大入賞口内の特定領域に遊技球が入球することを条件として、当該特別遊技終了後に確変状態に移行するようにした遊技機が開示されている。
【０００３】
このような、内部に特定領域を備えた大入賞口装置には、特定領域を開閉するための部材が設けられている。上述の特許文献１においては前後方向に出没する開閉板が設けられ、特許文献２においては横方向にスライドする蓋部材が設けられている。これらはいずれも、特定領域を閉じた状態ではその上面を遊技球が横方向に通過するので、平板状に形成されている。
【先行技術文献】
【特許文献】
【０００４】
【特許文献１】特開２０１３−１９２６１９号公報
【特許文献２】特開２０１２−２４５１７３号公報
【発明の概要】
【発明が解決しようとする課題】
【０００５】
ここで、上述した従来の大入賞口装置では、大入賞口から離れた位置に特定領域が配置されているので、大入賞口へ流入した遊技球を特定領域に誘導するための通路を設けているが、そのような通路を設けると、可変入賞装置全体の構造が大型化してしまう。しかし、遊技盤に配置される他の役物等との関係で、そのような大型の大入賞口装置を設置できない場合もあり、大入賞口装置自体を小型化しようとすると、内部の遊技球の移動空間が狭くなることから、球詰まりやセンサの二重検知などの問題が発生するおそれがある。
本発明は、上記事情に鑑み、コンパクトであっても球詰まり等が発生しにくい大入賞口装置を備えた遊技機を提供することを目的とする。
【課題を解決するための手段】
【０００６】
上述した目的を達成するために、本発明は以下のような構成を備える。
すなわち、本発明に係る遊技機（パチンコ機Ｐ）は、遊技球が流下する遊技領域１２０と、前記遊技領域１２０に設けられ、遊技球を入球し難い又は入球不可能な閉状態と、遊技球を入球し易い開状態とに変位可能な開閉部材４１を有する可変入賞装置（第２大入賞口装置１Ｂ）と、を備え、前記可変入賞装置は、入球した遊技球の通過を検出する第１検出部６０と、前記第１検出部６０を通過した遊技球を検出可能な第２検出部７０とを少なくとも備え、前記第２検出部７０による遊技球の検出に基づき、遊技球が特定領域１３を通過したものとして扱われるように形成されている。
そして、本発明においては、前記第２検出部７０は、前記第１検出部６０の鉛直方向に配置され、前記第１検出部６０から前記第２検出部７０までの遊技球の流下経路には、前記第２検出部７０の上方を塞ぐ突出状態となった場合には前記第１検出部６０を通過した遊技球を受けて前記第２検出部７０以外の他の領域（一般領域１２）に遊技球を誘導するとともに、前記第２検出部７０の上方を開放する退避状態となった場合には前記第１検出部６０を通過した遊技球を前記第２検出部７０へ流下可能とする振分部材（振分板５１）が設けられ、前記振分部材の上面には、前記第１検出部６０から流下してくる遊技球に当接して当該遊技球の流下方向を前記他の領域の方向に規制可能な方向規制部（湾曲面５１Ｂ）が形成されていることを特徴とする。
【０００７】
本発明においては、可変入賞装置に入球した遊技球を検知する第１検出部６０の真下に、特定領域１３となる第２検出部７０を配置し、両者の間に振分部材を介在させて、遊技球を特定領域１３と他の領域とに振り分けるようにしている。そして、振分部材が突出状態である場合には、第１検出部６０を通過した遊技球は、振分部材の方向規制部に当接して方向転換し、他の領域の方向に流下する。
本発明によれば、第１検出部６０の真下に第２検出部７０を配置しているので、振分部材が退避状態であれば第１検出部６０を通過した遊技球はそのまま第２検出部７０に流下するものとなり、第１検出部６０から第２検出部７０に遊技球を誘導する通路を特に設ける必要がない。
【０００８】
また、第１検出部６０と第２検出部７０との間の距離を極力小さくして、その結果第１検出部６０と振分部材の上面との距離が狭まったとしても、方向規制部があることにより、遊技球が上方に跳ね返り第１検出部６０において二重検知が発生したり、跳ね返った遊技球が他の領域にうまく流下せず球詰まりの原因となったりすることを、極力防止することができる。換言すると、振分部材に方向規制部を設けることにより、第１検出部６０と第２検出部７０との間の距離を縮めることが可能となり、その結果、可変入賞装置自体を小型化することが可能となる。
【０００９】
ここで、前記振分部材の上面には、前記他の領域に向かって下り傾斜する傾斜面５１Ａが設けられ、前記方向規制部は、前記傾斜面５１Ａに連続し前記傾斜面５１Ａの下り方向と対向する上り方向側に向かって高さが増すように形成された湾曲面５１Ｂとすることができる。このように形成した場合には、方向規制部で方向転換した遊技球をスムーズに他の領域に流下させることができる。また、遊技球を平坦面で受ける場合よりも、振分部材にかかる衝撃を緩和することができ、振分部材の破損を防止することができる。
【発明の効果】
【００１０】
本発明によれば、コンパクトな構造であっても、球詰まりが発生しにくい大入賞口装置を備えた遊技機を提供することができる。
【図面の簡単な説明】
【００１１】
【図１】パチンコ機の外観斜視図である。
【図２】パチンコ機の前扉を開けた状態の外観斜視図である。
【図３】パチンコ機の遊技盤の正面概略図である。
【図４】大入賞口装置の（Ａ）正面図、及び（Ｂ）側面図である。
【図５】大入賞口を閉じた状態の図４（Ｂ）のＶ−Ｖ線断面図である。
【図６】図５のVI−VI線断面図である。
【図７】図５のVII−VII線断面図である。
【図８】開閉機構の斜視図である。
【図９】振分機構の斜視図である。
【図１０】大入賞口を開いた状態の図４（Ｂ）のＶ−Ｖ線断面図である。
【図１１】図１０のXI−XI線断面図である。
【図１２】（Ａ）第１検出部、第２検出部及び振分板の位置関係を示す説明図、及び（Ｂ）振分板による遊技球の跳ね返り方向を示す説明図である。
【発明を実施するための形態】
【００１２】
以下、本発明の好適な実施の形態を、図面を参照しつつ説明する。
（パチンコ機Ｐの外部構成）
本実施の形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置Ｒから遊技球の貸し出しを受けることができるようになっている。
【００１３】
本実施の形態に係るパチンコ機Ｐは、図１又は図２に示すように、島に固定される四角形状の枠体であって、中空部（特に図示しておらず）を有する機枠Ｆ１と、この機枠Ｆ１にヒンジ機構（特に図示しておらず）により開閉自在に取り付けられる四角形状の枠体であって、中空部（特に図示しておらず）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１４】
機枠Ｆ１の左下部には、図２に示すように、スピーカ１００が設けられている。また、本体枠Ｆ２の中空部には、遊技領域１２０を形成するための遊技盤１１０が収容されている。また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、透明板４００の左右上方にそれぞれ１個ずつ取り付けられたスピーカ１００と、が設けられている。
また、図１に示すように、前扉Ｄの外周には、種々の色や発光パターンで発光することにより演出を行う演出ランプ２３０が設けられている。なお、この演出ランプ２３０は、特に図示していないが、複数色の発光が可能なＬＥＤにより構成されている。
【００１５】
このパチンコ機Ｐでは、機枠Ｆ１に対して本体枠Ｆ２を閉じ、さらに、前扉Ｄを閉じると、遊技盤１１０の前方に間隙を挟んで透明板４００が位置することとなる。これにより、透明板４００を介して、後方に位置する遊技盤１１０を視認することができるようになっている。
【００１６】
また、上皿６００には、遊技球貸出装置により貸し出される遊技球や、パチンコ機Ｐから払い出される賞球が導かれるようになっている。上皿６００は、所定量の遊技球を受容可能となっているが、この上皿６００が遊技球で一杯になると、その後に貸し出されたり、払い出されたりする遊技球は受皿７００に導かれるようになっている。また、受皿７００の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８００（図１参照）を横方向に移動させることで、開閉板も同方向に移動し、排出孔が開放される。これにより、遊技球を排出孔から落下させて、受皿７００の外に排出することができるようになっている。
【００１７】
また、操作ハンドル５００は、遊技者が所定方向へ向けて回転操作できるように形成されている。そして、遊技者が操作ハンドル５００を回転操作すると、上皿６００に受容されている遊技球が発射装置（特に図示しておらず）に送られ、発射装置によって、操作ハンドル５００の回転角度に応じた強度で遊技球が発射される。このように発射された遊技球は、遊技盤１１０に固定された一対のレールＲ１、Ｒ２に案内されて上昇し、遊技盤１１０の遊技領域１２０に到達する。
【００１８】
ここで、遊技領域１２０は、機枠Ｆ１に対し本体枠Ｆ２及び前扉Ｄを閉じた状態で遊技盤１１０と透明板４００との間に形成される空間のうち、遊技盤１１０に固定された一対のレールＲ１、Ｒ２により略円形状に仕切られた部分であって、遊技球が流下可能な領域である。
この遊技領域１２０は、図３に示すように、パチンコ機Ｐに対向する遊技者から見て左側の領域である第１遊技領域１２１と、パチンコ機Ｐに対向する遊技者から見て右側の領域である第２遊技領域１２２とから構成されている。これら２つの遊技領域１２０は、発射装置の発射強度により、遊技球の進入可能性が異なるようになっている。具体的には、発射装置の発射強度が所定の強度未満（発射装置により発射される遊技球が遊技領域１２０の最高地点に到達しない程度の強度）の場合には、遊技球は第１遊技領域１２１に進入する。これに対して、発射装置の発射強度が所定の強度以上（発射装置により発射される遊技球が遊技領域１２０の最高地点に到達可能な強度）の場合には、遊技球は第２遊技領域１２２に進入する。
【００１９】
また、この遊技領域１２０内には、図３に示すように、遊技球の流下方向を不規則にするための風車及び多数の釘と、遊技球が入球可能な一般入賞口１４０と、始動領域としての第１始動入賞口１５０及び第２始動入賞口１６０と、遊技球が通過可能なゲート２００と、所定条件を満たすことで作動する大入賞口装置１と、遊技球を遊技盤１１０の裏面側に導くアウト口１９０と、遊技の進行等に伴って演出を行う演出表示装置２１０と、が設けられている。なお、本実施の形態では、大入賞口装置１として、第２遊技領域１２２の下部に配置される第２大入賞口装置１Ｂと、第２大入賞口装置１Ｂの上方に設けられる第１大入賞口装置１Ａとの２つが設けられている。
【００２０】
一般入賞口１４０は、図３に示すように、遊技領域１２０の下方に２個設けられている。なお、一般入賞口１４０の設置個数は２個に限られず、設置箇所も図示した位置に限られない。第１始動入賞口１５０は、遊技領域１２０の中央下部（演出表示装置２１０の下方）に設けられており、第２始動入賞口１６０は第２遊技領域１２２の略中央部（演出表示装置２１０の右側）に設けられており、第２始動入賞口１６０の上方にはゲート２００が設けられている。アウト口１９０は遊技領域１２０の最下部に設けられている。
【００２１】
また、第２始動入賞口１６０には、図３に示すように、左右に開閉可能な一対の可動片１６１が設けられており、可動片１６１が閉じているときには第２始動入賞口１６０は遊技球を受け入れることができないようになっている。一方、可動片１６１が開くと、開いた状態の可動片１６１が第１遊技領域１２１又は第２遊技領域１２２を流下する遊技球を第２始動入賞口１６０へ向けて案内するガイド部材として機能することにより、第２始動入賞口１６０への遊技球の入球が容易となる。
なお、可動片１６１の構成は特に限定されるものではなく、たとえば、遊技盤１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２２】
大入賞口装置１のうちの第１大入賞口装置１Ａは、図３に示すように、遊技球が入球可能な第１大入賞口１７０と、この第１大入賞口１７０を開閉する開閉扉１７１とを備えている。常態においては、開閉扉１７１が閉じられ第１大入賞口１７０は閉鎖されており、第１大入賞口１７０への遊技球の入球は不可能となっているが、後述する特別遊技が実行されると、特別遊技中の所定時に、開閉扉１７１が開き第１大入賞口１７０が開放されるとともに、開閉扉１７１が遊技球を第１大入賞口１７０へ導く受皿部材として機能することにより、第１大入賞口１７０への遊技球の入球が可能となる。
【００２３】
一方、第２大入賞口装置１Ｂは、図３に示すように、遊技球が入球可能な第２大入賞口１８０と、この第２大入賞口１８０を開閉する開閉部材４１とを備えている。常態においては、開閉部材４１が閉じられ第２大入賞口１８０は閉鎖されており、第２大入賞口１８０への遊技球の入球は不可能となっているが、特別遊技中の所定時に、開閉部材４１が開き第２大入賞口１８０が開放されるとともに、開閉部材４１が遊技球を第２大入賞口１８０へ導く受皿部材として機能することにより、第２大入賞口１８０への遊技球の入球が可能となる。さらに、第２大入賞口装置１Ｂの内部には、第２大入賞口１８０に入球した遊技球を受け入れ可能な一般領域１２及び特定領域１３の二つの領域と、一般領域１２と特定領域１３とに遊技球を振り分けるための振分板５１が設けられている。振分板５１は、特定領域１３の上方空間において突出状態となることにより特定領域１３を閉塞して一般領域１２へ遊技球を誘導し、退避状態となることにより特定領域１３を開放して特定領域１３へ遊技球を流下させるように形成されているものである。なお、第２大入賞口装置１Ｂの構造については後述する。そして、遊技球が特定領域１３に誘導された場合には、特別遊技の終了後に有利な遊技状態に移行するように形成されているが、これについても後述する。
【００２４】
演出表示装置２１０は、図３に示すように、遊技領域１２０の略中央に設けられている。本実施の形態に係るパチンコ機Ｐでは、この演出表示装置２１０として液晶表示装置が用いられている。また、この演出表示装置２１０には、動画や静止画等の画像を表示するための表示部２１１が設けられており、この表示部２１１には、背景画像が表示されるほか、所定の演出態様の一部として、演出図柄（ダミー図柄）が変動表示されるようになっている。そして、各演出図柄の停止表示態様により、特別図柄の抽選の結果が遊技者に報知されることとなる。
なお、演出表示装置２１０は、液晶表示装置に限定されるものではなく、たとえば、外周に図柄が付された複数のドラムを用いて各種表示を行うドラム式の表示装置等を用いてもよい。
【００２５】
また、遊技盤１１０に設けられる演出を行う装置としては、上記した演出表示装置２１０の他に、種々の色や発光パターンで発光することにより演出を行う遊技盤演出ランプや、種々の色や発光パターンで発光することにより演出を行うとともに、パチンコ機Ｐの機種名を表示するタイトルランプ等を備えていてもよい。
また、演出を行う装置としては、これらに限定されるものではなく、たとえば、種々のタイミングや態様で可動する演出役物装置等を備えてもよい。
【００２６】
（遊技の概要）
本実施の形態に係るパチンコ機Ｐでは、発射装置（図示しておらず）により発射され遊技領域１２０を流下する遊技球が、一般入賞口１４０、第１始動入賞口１５０、第２始動入賞口１６０に入球すると、所定個数の賞球が払い出される。また、遊技球が第１始動入賞口１５０、第２始動入賞口１６０に入球した場合には、第１大入賞口１７０及び第２大入賞口１８０が開放される特別遊技を実行させるか否かを決定する大当たりの抽選が行われるとともに、大当たりの抽選の結果に対応する特別図柄の決定が行われる。そして、この大当たりの抽選によって大当たりに当選すると、第１大入賞口１７０と第２大入賞口１８０のいずれか一方が開閉するラウンド遊技が所定回数行われる特別遊技が実行される。なお、第１大入賞口１７０又は第２大入賞口１８０へ遊技球が入球すると、所定個数の賞球が払い出される。また、１回のラウンド遊技は、第１大入賞口１７０又は第２大入賞口１８０が開放されることにより開始され、開始後、所定時間（例えば２９秒）が経過するか、所定個数（例えば１０個）の遊技球の入球が検出されたかのいずれかの条件に該当すると、第１大入賞口１７０又は第２大入賞口１８０が閉じることにより終了する。そして、所定のインターバル期間（例えば２秒）をおいて、次のラウンド遊技が開始されるようになっている。
【００２７】
ここで、上述のように、大当たりの抽選の結果に応じて特別図柄の決定が行われるが、大当たりに当選した場合には、大当たりの当選に対応付けられた複数種類の特別図柄のうちいずれか一の特別図柄が抽選により決定される。そして、各特別図柄には特別遊技中に実行されるラウンド遊技の回数（ラウンド数）が予め定められている。ラウンド数は１種類であっても複数種類であってもよい。また、第１大入賞口１７０及び第２大入賞口１８０を開放させる時期及び回数は、ラウンド数に応じてあらかじめ定められている。
例えば、１０ラウンドの大当たりの場合には、１〜７ラウンド目までは第１大入賞口１７０のみを開放させ第２大入賞口１８０を開放せず、８ラウンド目と９ラウンド目は第２大入賞口１８０のみを開放させ第１大入賞口１７０を開放せず、１０ラウンド目は再び第１大入賞口１７０のみを開放させる。また、５ラウンドの大当たりの場合には、１〜４ラウンド目までは第１大入賞口１７０のみを開放させ、５ラウンド目は第２大入賞口１８０のみを開放させる。
【００２８】
さらに、本実施の形態では、特別遊技中に第２大入賞口１８０が開放された場合において、特定領域１３に遊技球が誘導された場合には、当該特別遊技の終了後に、大当たりの抽選によって大当たりに当選する確率が通常状態よりも高くなる高確率状態に移行するように設定されている。また、特別図柄には、振分板５１の出没パターンである作動パターンが対応付けられており、振分板５１の作動パターンには、振分板５１が、特定領域１３に遊技球が入りやすいように作動するパターンと、特定領域１３に遊技球が極めて入り難いように作動するパターンとがある。そして、遊技球が入りやすいように作動するパターンに対応付けられた特別図柄が選択された場合には、第２大入賞口１８０が開放されて振分板５１が作動することにより、遊技球はほぼ特定領域１３に誘導され、遊技球が極めて入り難いように作動するパターンに対応付けられた特別図柄が選択された場合には、第２大入賞口１８０が開放されて振分板５１が作動しても、遊技球はほぼ特定領域１３に誘導されないようになっている。
【００２９】
また、第１始動入賞口１５０へ遊技球が入球すると、第１特別図柄表示装置（図示せず）において、所定時間にわたり特別図柄の変動表示が行われ、第２始動入賞口１６０へ遊技球が入球すると、第２特別図柄表示装置（図示せず）において、所定時間にわたり特別図柄の変動表示が行われる。また、この間、演出表示装置２１０では変動演出が行われる。そして、所定時間の経過後、第１特別図柄表示装置又は第２特別図柄表示装置の変動表示が停止し、大当たり抽選の結果を示す特別図柄が停止表示される。大当たりの抽選に当選している場合には大当たりに対応して決定された特別図柄が停止表示され、ハズレの場合にはハズレに対応して決定された特別図柄が停止表示される。演出表示装置２１０においても図柄変動を停止させて、抽選結果に応じた図柄を停止表示させる。特別遊技に対応付けられた特別図柄が停止表示された場合には、特別遊技が開始される。
【００３０】
また、特別図柄の変動表示が行われている最中、又は特別遊技の実行中に、第１始動入賞口１５０又は第２始動入賞口１６０に遊技球が入球した場合には、その旨が記憶（保留）され、所定の保留表示部に特別図柄の保留数が表示される。そして、特別図柄の変動表示が終了し又は特別遊技が終了した場合には、保留に基づいて大当たりの抽選及び特別図柄の抽選が行われる。保留は最大４個まで記憶することができ、保留に基づいて大当たりの抽選及び特別図柄の抽選が行われると保留数が減じられ、それに伴い保留表示部の特別図柄の保留数の表示も減じられる。
【００３１】
また、遊技球がゲート２００を通過すると、上述の第２始動入賞口１６０に設けられた可動片１６１を開状態にさせて第２始動入賞口１６０を開放させるか否かの抽選が行われる。この抽選は、第２始動入賞口１６０の開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０が開放されるようになっている。
【００３２】
そして、ゲート２００を遊技球が通過すると、図示しない普通図柄表示装置において、所定時間にわたり、普通図柄の変動表示が行われる。そして、変動時間の経過後、普通図柄表示装置３２０の変動表示が停止し、普通図柄の抽選の結果を示す普通図柄が停止表示される。すなわち、当たりの場合には当たりに対応して決定された普通図柄が停止表示され、ハズレの場合にはハズレに対応して決定された普通図柄が停止表示される。当たりに対応して決定された普通図柄が停止表示されると、第２始動入賞口１６０が開放される。第２始動入賞口１６０が開放されている場合には、より多くの遊技球を第２始動入賞口１６０へ入球させることができ、大当たりの抽選を受ける機会が増え、第２始動入賞口１６０が開放されていない場合よりも有利な状態とすることができる。
【００３３】
普通図柄表示装置において普通図柄の変動表示が行われている最中に、ゲート２００を遊技球が通過した場合には、上記特別図柄の場合と同様に最大４個まで保留され、所定の保留表示部に普通図柄の保留数が表示される。そして、普通図柄の変動表示が終了した場合には、保留に基づいて普通図柄の抽選が行われ、保留数が減じられるとともに保留表示部の普通図柄の保留数の表示も減じられる。
【００３４】
ここで、本形態に係るパチンコ機Ｐにおいては、第１遊技領域１２１を流下する遊技球は第１始動入賞口１５０への入球が可能となっており、第２遊技領域１２２を流下する遊技球は、ゲート２００の通過、第２始動入賞口１６０への入球、第１大入賞口１７０及び第２大入賞口１８０への入球が可能となっている。そして、特別遊技中でないときには、第１始動入賞口１５０へ遊技球を入球させるべく、遊技者に第１遊技領域１２１内への遊技球の打ち出し（いわゆる左打ち）を行わせ、特別遊技中及び高確率状態中は、第１大入賞口１７０及び第２大入賞口１８０、又はゲート２００及び第２始動入賞口１６０へ遊技球を入球させるべく、遊技者に第２遊技領域１２２内への遊技球の打ち出し（いわゆる右打ち）を行わせるようになっている。具体的には、特別遊技中及び高確率状態中は、演出表示装置２１０において、第２遊技領域１２２内へ遊技球を打ち出す旨を指示する表示が行われ、特別遊技又は高確率状態が終了すると、演出表示装置２１０において、第１遊技領域１２１内への遊技球の打ち出しに戻す旨を指示する表示が行われる。
【００３５】
一般入賞口１４０、第１始動入賞口１５０、第２始動入賞口１６０、大入賞口装置１のいずれにも入球しなかった遊技球はアウト口１９０に受け入れられ、遊技盤１１０の背面側に導かれ回収される。なお、一般入賞口１４０、第１始動入賞口１５０、第２始動入賞口１６０及び大入賞口装置１に入球した遊技球も、遊技盤１１０の背面側に導かれ回収される。
【００３６】
（第２大入賞口装置１Ｂ）
次に、第２大入賞口装置１Ｂの構造について詳述する。なお、第２大入賞口装置１Ｂ及び第２大入賞口装置１Ｂを構成する各構成部品についての、前後（正面背面）、左右（側面）、上下（平面底面）の方向は、第２大入賞口装置１Ｂを遊技盤１１０に固定した状態でパチンコ機Ｐを正面視したときの方向を示すものとする。
第２大入賞口装置１Ｂは、図４に示すように、外装部材１０と、外装部材１０に装着される開閉機構４０及び振分機構５０を備えている。外装部材１０は、表カバー２０とベース３０とからなり、表カバー２０とベース３０とを組み合わせることにより、遊技球を受け入れ可能な第２大入賞口１８０となる開口部１１と、開口部１１から受け入れた遊技球が誘導される通常領域１２及び特定領域１３と、通常領域１２及び特定領域１３を通過した遊技球を第２大入賞口装置１Ｂの外部に排出する球排出路１４及び球排出路１５とが形成されるようになっている。
【００３７】
表カバー２０は、図４及び図５に示すように、第２大入賞口装置１Ｂの正面に配置され、正面板２１と周囲の側壁２２を有する背面側が開放した箱形の部材である。側壁２２のうち上側の側壁２２Ａの一部に切り欠きが設けられており、この切り欠きが前記した開口部１１となる。また、図５に示すように、正面板２１の裏面には複数の隔壁２３が形成されており、正面板２１とベース３０との間には隔壁２３により仕切られた空間部が形成されている。そしてこの隔壁２３により仕切られた空間部のうちの、開口部１１と連通する空間部には、開閉部材４１と、第１検出部６０と、第２検出部７０と、第３検出部８０とが配置されている（図６、図７参照）。第１検出部６０、第２検出部７０及び第３検出部８０は、遊技球の通過を検出する貫通型近接センサである。
【００３８】
図５に示すように、第１検出部６０の真下には第２検出部７０が位置し、第２検出部７０の正面視左側には、隔壁２３Ａを挟んで第３検出部８０が位置している。そして、第１検出部６０が遊技球を検出すると、第２大入賞口１８０に入賞したものとして賞球が払い出される。また、第２検出部７０が遊技球を検出すると、遊技球が特定領域１３に誘導されたものとして扱われ、第３検出部８０が遊技球を検出すると、遊技球が一般領域１２に誘導されたものとして扱われるようになっている。すなわち、第２検出部７０における遊技球の通過領域が特定領域１３（いわゆる確変領域）に該当し、第３検出部８０における遊技球の通過領域が一般領域１２（いわゆるハズレ領域）に該当するものとなる。また、第１検出部６０と第２検出部７０との間には、振分装置５０の振分板５１が出没可能に配置されており、この振分板５１が正面側に突出しているときには第１検出部６０を通過した遊技球が第３検出部８０（一般領域１２）に誘導され、振分板５１が背面側に没入しているときには第１検出部６０を通過した遊技球が第２検出部７０（特定領域１３）に落下するようになっている。なお、正面板２１の裏面であって、第１検出部６０から第２検出部７０の下方にまで至る遊技球の流下通路、及び第３検出部８０の下方の遊技球の流下通路に該当する部分には、流下する遊技球のあばれを防止するためのリブ２１Ａが形成されている。
【００３９】
ベース３０は、表カバー２０、開閉機構４０及び振分機構５０を一体化するための部材であり、図４（Ｂ）に示すように、薄板状の正面板３１と、正面板３１の背面に突設された固定部３２、３３と、突起部３４とを備えている。固定部３２は正面板３１の上部に位置し、開閉機構４０を固定するためのネジボスを有している。固定部３３は固定部３２の下方に位置し、振分機構５０を固定するためのネジボスを有している。また、突起部３４は正面板３１の下部に位置し、図５〜図７に示すように、前後方向に貫通する２つの開口部３５、３６が横方向に並んで形成されている。また、突起部３４の背面側には、開口部３５、３６のそれぞれに連通するとともに前後方向に貫通する開口部３８、３９を備えた出口部材３７が取り付けられている。そして、ベース３０と表カバー２０を組み合わせると、第３検出部８０（一般領域１２）の下方空間と、開口部３３とが連通し、遊技球を一般領域１２から開口部３５、開口部３８を経て第２大入賞口装置１Ｂの外部に誘導する球排出路１４（図７参照）が形成されるとともに、第２検出部７０（特定領域１３）の下方空間と、開口部３６とが連通し、遊技球を特定領域１３から開口部３６、開口部３９を経て第２大入賞口装置１Ｂの外部に誘導する球排出路１５（図６参照）が形成される。
【００４０】
開閉機構４０は、図８に示すように、既出の開閉部材４１と、開閉部材４１を回動させるためのリンク部材４４が連結された開閉ソレノイド４３とを備え、固定枠４０Ａ（図４(Ｂ)参照）を介してベース３０の固定部３０Ｂに固定されるものである。
開閉部材４１は、図６に示すように、表カバー２０の正面板２１とベース３０の正面板３０Ａとの間に掛けわたされた回動軸４２に回動可能に軸支されるものであり、図８に示すように、後方に突出する突出ピン４１Ａを備えている。突出ピン４１Ａは、図５に示すように、回動軸４２の軸中心からずれた位置に設けられており、ベース３０の正面板３０Ａに形成された長孔３１Ａを貫通している。そして、図５に示すように、突出ピン４１Ａが長孔３１の下端部付近に位置しているときには、開閉部材４１が、開口部１１から遊技球を受け入れ不能とする閉状態となり、図１０に示すように、突出ピン４１Ａが長孔３１の上端部付近に位置しているときには、開閉部材４１が、開口部１１から遊技球を受け入れ可能とする開状態となるように形成されている。なお、開閉部材４１は、表カバー２０の隔壁２３のうち開口部１１の下側の壁となる隔壁２３Ｂの一部に当接して、閉状態又は開状態を維持することができるようになっている。
【００４１】
リンク部材４４は、図８に示すように、鉤型に折曲したアーム状の部材であり、開閉ソレノイド４３の可動軸４３Ａに軸止されるとともに、折曲部分に支持軸４５貫通させて固定枠４０Ａに回動自在に支持されている。また、リンク部材４４の前端部は、上下二股に分かれて形成されており、この二股の間に分かれた上の部分の押下部４４Ａと下の部分の持上部４４Ｂとの間に、開閉部材４１の突出ピン４１Ａが位置するように形成されている。
そして、開閉ソレノイド４３が非通電状態である場合にはリンク部材４４の押下部４４Ａが突出ピン４１Ａを押し下げているため、開閉部材４１は閉状態となっている（図５、図６参照）。すなわち、第２大入賞口１８０は閉じられている。また、開閉ソレノイド４３が通電状態となった場合には、可動軸４３Ａの移動に伴いリンク部材４４が支持軸４５を中心に回動し、持上部４４Ｂが突出ピン４１Ａを持ち上げ、開閉部材４１が回動軸４２を中心に回動して開状態となる（図１０、図１１参照）。これにより、第２大入賞口１８０が開放される。
【００４２】
振分機構５０は、図９に示すように、既出の振分板５１と、振分板５１を出没させるための揺動部材５４が連結された振分ソレノイド５３とを備え、固定枠５０Ａ（図４(Ｂ)参照）を介してベース３０の固定部３０Ｃに固定されるものである。
振分板５１は、ベース３０の正面３１に設けられたスリット３１Ｂ（図５、図６参照）を貫通して、第２検出部７０（特定領域１３）の上方空間に突出可能な板部材である。振分板５１の上面は、図１２に示すように、正面視して右側から左側（一般領域１２側）に下り傾斜する傾斜面５１Ａと、傾斜面５１Ａに連続して右側（一般領域１２の反対側、すなわち傾斜面５１Ａの下り方向と対向する上り方向側）に向かって高さが増す湾曲面５１Ｂとから構成されている。すなわち、第１検出部６０から流下してくる遊技球を湾曲面５１Ｂで受けることができる位置に配置されている（図１２(Ａ)参照）。
【００４３】
ここで、湾曲面５１Ｂの曲率半径は、遊技球の半径よりも大きく形成されており、第１検出部６０から流下してくる遊技球は、図１２（Ｂ）に示すｐ１の箇所に当接し、αの方向に跳ね返る。このｐ１における湾曲面５１Ｂの接線Ｌ１は、振分板５１の傾斜面５１Ａを延長した線Ｌ２よりも傾斜角が大きくなっている。仮に、振分板５１の上面が傾斜面５１Ａのみで形成されていた場合には、遊技球はｐ２の箇所に当接してβの方向に跳ね返るので、湾曲面５１Ｂを形成したことにより、遊技球が振分板５１の上面にぶつかって跳ね返る角度を緩くすることができる。
また、振分板５１の前端部には、前側から奥側に向かって面取り部５１Ｃが形成されている。すなわち、振分板５１の前端部は尖っている。これは、振分板５１の前端部と遊技球との接触面を極力少なくして、振分板５１と表カバー２０の正面板２１の裏面との間に遊技球を挟み込むことがないようにするためである。
【００４４】
また振分板５１の後方には、図９に示すように、側方に張り出す突出ピン５２Ａを有する移動部材５２が設けられており、移動部材５２は、固定枠５０Ａに形成されたガイド溝５８（図４(Ｂ)参照）に突出ピン５２Ａを係合させることにより、前後方向に摺動自在に支持されている。また移動部材５２には、連結軸５６を介して揺動部材５４が取り付けられている。揺動部材５４は、図６に示すように、揺動軸５５を介して固定枠５０Ａに揺動自在に取り付けられるとともに、連結軸５６と揺動軸５５の略中間において、振分ソレノイド５３の可動軸５３Ａと連結されている。
【００４５】
そして、振分ソレノイド５３が非通電状態である場合には、図６に示すように、揺動部材５４はほぼ直立状態であり、振分板５１はスリット３１Ｂから特定領域１３の上方空間に突出する突出状態となっている。すなわち、振分板５１が遊技球の流下通路を遮ることによって特定領域１３が閉塞されている。また、振分ソレノイド５３が通電状態となった場合には、図１１に示すように、可動軸５３Ａの移動に伴い揺動部材５４が揺動軸５５を中心に回動して後方に傾倒した状態となり、移動部材５２がガイド溝５８にガイドされつつ後方に移動する。これに伴い振分板５１も後方に移動して、スリット３１Ｂの内側（正面板３１の奥側）に没入する退避状態となる。これにより、特定領域１３が開放されることとなる。
【００４６】
第２大入賞口装置１Ｂは、図６に示すように、遊技盤１１０に設けられた開口部１１０Ａの内部に、ベース３０に固定した開閉機構４０及び振分機構５０を収納した状態で、ベース３０の正面板３０Ａを遊技盤１１０の正面側から固定するとともに、遊技盤１１０の裏面側からベース３０に出口部材３５を固定することにより、遊技盤１１０に取り付けられる。
【００４７】
（第２大入賞口装置１Ｂの作用）
第２大入賞口装置１Ｂは、常態において、開閉ソレノイド４３及び振分ソレノイド５３が非通電状態であって、第２大入賞口１８０は閉じているとともに、特定領域１３は振分板５１によって遮蔽されている。そして、特別遊技中において、第２大入賞口１８０が開放される特定のラウンドになると、開閉ソレノイド４３が通電されて開閉部材４１が開状態となる。第２大入賞口１８０（開口部１１）に流入した遊技球は、まず第１検出部６０によって検出され、この検出信号に基づいて所定の賞球が払い出される。
【００４８】
また、開閉部材４１が開状態となると、当該特別遊技に係る特別図柄に対応した振分板５１の作動パターンに応じて、振分ソレノイド５３の通電が制御される。例えば、遊技球が入りやすいように作動するパターンの場合には、振分板５１が所定時間（例えば３秒）の経過後に退避状態となり、その後所定時間（例えば２２秒）の経過後に突出状態となるように、振分ソレノイド５３が通電される。このような作動パターンでは、特定領域１３がある程度長い時間開放されるので、特定領域１３に遊技球が入球しやすくなる。また、遊技球が極めて入り難いように作動するパターンの場合には、振分板５１が所定時間（例えば１０秒）の経過後に退避状態となり、その後所定時間（発射装置による遊技球の打ち出し間隔よりも短い時間、例えば０．３秒）の経過後に突出状態となるように、振分ソレノイド５３が通電される。このような作動パターンでは、特定領域１３が開放される時間が極めて短いので、特定領域１３に遊技球が入球する可能性は極めて低くなる。なお、上記した振分板５１の作動パターンは一例であって、上記した態様に限られない。例えば、１回のラウンド中に振分板５１が複数回退避状態となる作動パターンであってもよい。
【００４９】
振分板５１が退避状態となっているときには、第１検出部６０を通過した遊技球がそのまま第２検出部７０に流下するので、特定領域１３への入球が検知される。これにより、当該特別遊技終了後の高確率状態への移行が保障される。一方、振分板５１が突出状態となっているときには、第１検出部６０を通過した遊技球は振分板５１に遮られて、第２検出部７０へは流下しない。振分板５１は第３検出部８０（一般領域）に向かって下り傾斜しているので、振分板５１に当たった遊技球は一般領域へと導かれる。
第２大入賞口１８０が開放される所定のラウンドの終了条件に該当した場合には、開閉ソレノイド４３が非通電状態とされ、開閉部材４１が閉状態となる。これに伴い、通電状態の振分ソレノイド５３は非通電状態とされ、退避状態にあった振分板５１は突出状態となる。
【００５０】
（まとめ）
以上のように、本実施の形態においては、第２大入賞口装置１Ｂにおいて、第１検出部６０の真下に特定領域１３となる第２検出部７０を配置し、第１検出部６０の検知領域と特定領域１３がほぼ鉛直線上に位置するように形成するとともに、第２検出部７０に隣接して一般領域１２となる第３検出部８０を配置し、第１検出部６０と第２検出部７０との間に振分板５１を配置して、振分板５１の出没によって、第１検出部６０を通過した遊技球が一般領域１２又は特定領域１３に振り分けられるようにしている。そして、振分板５１は、一般領域１２の方向に下り傾斜する傾斜面５１Ａを有しているとともに、第１検出部６０から流下してくる遊技球を受ける部分は、傾斜面５１Ａと連続し一般領域１２の反対側に向かって高さが増すように形成された湾曲面５１Ｂとなっている。
【００５１】
振分板５１をこのような形状にすることにより、第１検出部６０を通過した遊技球が振分板５１に当接して上方に跳ね返ることなく（図１２(Ｂ)参照）、スムーズに一般領域１２の方向に流下させることができる。これにより、第１検出部６０と第２検出部７０との間の距離を短くし、第１検出部６０と振分板５１との距離を短くしても、振分板５１で跳ね返った遊技球が第１検出部６０で再度検出されてしまう二重検知や、跳ね返った遊技球が一般領域１２の方向にうまく流れないことにより発生する球詰まりを防止できることとなる。
例えば、本実施の形態では、第１検出部６０の上下方向の中心位置から振分板５１の上下方向の中心位置までの距離（図１２（Ａ）に示すＨ１）を、遊技球の直径よりもやや大きい程度に設定し、第１検出部６０の上下方向の中心位置から第２検出部７０の上下方向の中心位置までの距離（図１２（Ａ）に示すＨ２）を極力短くしている。なお、第１検出部６０と第２検出部７０との間の距離や、第３検出部８０と振分板５１との間の距離や、振分板５１の湾曲面５１Ｂの曲率は、各検出部として用いるセンサの性能や、振分板５１の材質などの条件に応じて、上述の効果を得られるように適宜設定すべきものである。
【００５２】
このように検出部をできるだけ集約して配置することにより、第２大入賞口装置１Ｂ全体の構造をコンパクト化することができ、その分、遊技領域１２０に配置する種々の役物の設置スペースを確保することが可能となる。
また、振分板５１において最初に遊技球が当たる部分であって、一般領域１２に向かって遊技球の流下方向を変更させるための方向規制部を、傾斜面５１Ａと連続する湾曲面５１Ｂとしたことで、湾曲面５１Ｂに当接して方向転換した遊技球を振分板５１の上面においてなめらかに移動させることができる。また、湾曲面５１Ｂで遊技球を受けることで、遊技球が平坦面に当接する場合に比べて振分板５１にかかる衝撃を緩和することができ、振分板５１を破損し難くすることができる。
【００５３】
ここで、上記した実施の形態では、振分板５１が前後方向に移動して特定領域１３を開閉するように形成してあったが、特定領域１３の側方（上記形態では正面視右側）に空間的余裕がある場合には、振分板５１が左右方向に移動して特定領域１３を開閉するようにしてもよい。すなわち、常態においては振分板５１が第２検出部７０を上側から覆う突出常態となっており、特定の場合には振分板５１が右側に移動して退避状態となるようにしてもよい。
また、上記した実施の形態では、方向規制部を、正面視して凹状となる湾曲面５１Ｂとしていたが、遊技球を一般領域１２に向かって方向転換させることができる傾斜角度（例えば図１２（Ｂ）におけるＬ１の角度）で傾斜する傾斜面（平坦面）としてもよい。あるいは、正面視して凸状となる湾曲面としてもよい。
【００５４】
さらに、本発明は、大入賞口の内部に特定領域を備え当該特定領域を遊技球が通過することに伴って特別遊技が開始される、いわゆる羽根モノとよばれるパチンコ機にも応用することができる。
なお、上記した実施の形態における第２大入賞口装置１Ｂは本発明の可変入賞装置に相当し、上記した実施の形態における振分板５１は本発明の振分部材に相当する。また、上記した実施の形態における振分板５１の湾曲面５１Ｂは本発明の方向規制部に相当する。
【符号の説明】
【００５５】
Ｐ  パチンコ機（遊技機）              １  大入賞口装置
１Ａ  第１大入賞口装置                １Ｂ  第２大入賞口装置（可変入賞装置）
１０  外装部材                        １１  開口部
１２  一般領域                        １３  特定領域
１４、１５  球排出路
２０  表カバー                        ２１  正面板
２２  側壁                            ２３  隔壁
３０  ベース                          ３１  正面板
３５  開口部                          ３６  開口部
３７  出口部材                        ３８  開口部
３９  開口部
４０  開閉機構                        ４１  開閉部材
４２  回動軸                          ４３  開閉ソレノイド
４４  リンク部材                      ４５  支持軸
５０  振分機構                        ５１  振分板
５１Ｂ  湾曲面（方向規制部）
５２  移動部材                        ５３  振分ソレノイド
５４  揺動部材                        ５５  揺動軸
５６  連結軸                          ５８  ガイド溝
６０  第１検出部                      ７０  第２検出部
８０  第３検出部
１７０  第１大入賞口                  １８０  第２大入賞口
【図１】
2016154709.tif 000003
【図２】
2016154709.tif 000004
【図３】
2016154709.tif 000005
【図４】
2016154709.tif 000006
【図５】
2016154709.tif 000007
【図６】
2016154709.tif 000008
【図７】
2016154709.tif 000009
【図８】
2016154709.tif 000010
【図９】
2016154709.tif 000011
【図１０】
2016154709.tif 000012
【図１１】
2016154709.tif 000013
【図１２】
2016154709.tif 000014